(57)【要約】【課題】異なる放送システムに容易に対応でき、異なる国や地域で手軽にテレビ放送を視聴することの可能な映像表示システム、放送信号処理ユニットおよび映像表示装置を提供する。【解決手段】チューナカード１００に復調部１０２を備え、チューナカード１００において放送信号を受信復調する。チューナカード１００のＩＤメモリ２０７に、このチューナカード１００が対応する放送システムの識別情報を記憶させる。そして、チューナカード１００がノートＰＣ１０６に装着されると、ＩＤメモリ２０７から識別情報を読み出してノートＰＣ１０６に通知し、チューナカード１００が対応する放送システムをノートＰＣ１０６に認識させるようにする。これにより映像の表示機能と放送信号の受信復調機能とを分離でき、受信したい放送システムに応じてチューナカード１００交換することだけで、同じノートＰＣ１０６を異なるＴＶシステムに対応させることが可能となる。【選択図】      図４
2005136914.tif 000002
【特許請求の範囲】
【請求項１】
互いに異なる複数の映像放送システムのうち少なくとも１の映像放送システムに対応する放送信号処理ユニットと、この放送信号処理ユニットが装着される情報処理端末とを具備する映像表示システムであって、
前記放送信号処理ユニットは、
映像信号を含む放送信号を受信して前記映像信号を復調する復調手段と、
前記復調された映像信号に基づくディジタルの映像データを生成するデータ生成手段と、
前記映像データを前記情報処理端末に送信する送信手段と、
自ユニットの対応する映像放送システムの識別情報を前記情報処理端末に通知する通知手段とを備え、
前記情報処理端末は、
前記送信手段により送信される映像データを受信する受信手段と、
前記通知手段により通知される識別情報から前記放送信号処理ユニットの対応する映像放送システムを特定する特定手段と、
前記受信された映像データを前記特定された映像放送システムに応じて加工して表示用映像を生成する映像生成手段と、
前記表示用映像を視覚的に表示する表示手段とを備えることを特徴とする映像表示システム。
【請求項２】
前記通知手段は、前記送信手段により送信される映像データに前記識別情報を付加して当該識別情報を前記情報処理端末に通知することを特徴とする請求項１に記載の映像表示システム。
【請求項３】
さらに、前記放送信号処理ユニットが前記情報処理端末に未装着の状態で当該情報処理端末から当該放送信号処理ユニットに電力を供給する電力供給手段を具備し、
前記通知手段は、
前記電力供給手段から供給される電力により駆動され前記識別情報を含む電波を放射する無線送信手段を備え、
前記情報処理端末は、
前記電波を受信して当該電波に含まれる識別情報を前記特定手段に通知する無線受信手段を備えることを特徴とする請求項１に記載の映像表示システム。
【請求項４】
前記放送信号処理ユニットは、前記データ生成手段により生成された映像データを圧縮するデータ圧縮手段を備え、
前記情報処理端末は、前記圧縮された映像データを伸張するデータ伸張手段を備えることを特徴とする請求項１に記載の映像表示システム。
【請求項５】
さらに、前記情報処理端末は、前記特定手段により特定された映像放送システムに基づいて前記放送信号処理ユニットの復調手段における受信チャネル周波数を切り替えるチャネル切替制御手段を備えることを特徴とする請求項１に記載の映像表示システム。
【請求項６】
前記表示手段は、前記特定手段により特定された映像放送システムを視認するための情報を表示することを特徴とする請求項１に記載の映像表示システム。
【請求項７】
前記情報処理端末は、さらに、前記放送信号処理ユニットの形状に合わせて形成されるスロットを備え、
前記放送信号処理ユニットは、前記スロットを介して前記情報処理端末に装着されることを特徴とする請求項１に記載の映像表示システム。
【請求項８】
前記情報処理端末は、前記スロットの近傍に描画され前記複数の映像放送システムにそれぞれ対応する複数のシンボル記号を備え、
前記放送信号処理ユニットは、前記スロットに挿入された状態で自ユニットの対応する映像放送システムのシンボル記号を指し示す指示マークを備えることを特徴とする請求項７に記載の映像表示システム。
【請求項９】
互いに異なる複数の映像放送システムのうち少なくとも１の映像放送システムに対応し、情報処理端末に装着して使用される放送信号処理ユニットであって、
映像信号を含む放送信号を受信して前記映像信号を復調する復調手段と、
前記復調された映像信号に基づくディジタルの映像データを生成するデータ生成手段と、
前記映像データを前記情報処理端末に送信する送信手段と、
自ユニットの対応する映像放送システムの識別情報を前記情報処理端末に通知する通知手段とを具備することを特徴とする放送信号処理ユニット。
【請求項１０】
前記通知手段は、前記送信手段により送信される映像データに前記識別情報を付加して当該識別情報を前記情報処理端末に通知することを特徴とする請求項９に記載の放送信号処理ユニット。
【請求項１１】
前記情報処理端末に未装着の状態で当該情報処理端末から電力の供給を受けるための電力受信手段と、
前記電力受信手段から供給される電力により駆動され前記識別情報を含む電波を放射する無線送信手段とをさらに具備することを特徴とする請求項９に記載の放送信号処理ユニット。
【請求項１２】
さらに、前記データ生成手段により生成された映像データを圧縮するデータ圧縮手段を具備することを特徴とする請求項９に記載の放送信号処理ユニット。
【請求項１３】
前記情報処理端末に装着された状態で、前記情報処理端末に描画され前記複数の映像放送システムにそれぞれ対応する複数のシンボル記号のうち自ユニットの対応する映像放送システムのシンボル記号を指し示す指示マークを備えることを特徴とする請求項９に記載の放送信号処理ユニット。
【請求項１４】
互いに異なる複数の映像放送システムのうち少なくとも１の映像放送システムに対応付けられる放送信号処理ユニットが装着される映像表示装置であって、
前記放送信号処理ユニットから送信されるディジタルの映像データを受信する受信手段と、
前記放送信号処理ユニットから通知される映像放送システムの識別情報から当該放送信号処理ユニットの対応する映像放送システムを特定する特定手段と、
前記受信された映像データを前記特定された映像放送システムに応じて加工して表示用映像を生成する映像生成手段と、
前記表示用映像を視覚的に表示する表示手段とを備えることを特徴とする映像表示装置。
【請求項１５】
さらに、前記放送信号処理ユニットが自装置に未装着の状態で当該放送信号処理ユニットに電力を供給する電力供給手段と、
前記電力供給手段により供給される電力を用いて前記放送信号処理ユニットから送出される電波を受信して当該電波に含まれる識別情報を前記特定手段に通知する無線受信手段とを具備することを特徴とする請求項１４に記載の映像表示装置。
【請求項１６】
さらに、前記放送信号処理ユニットから圧縮された状態で送信される映像データを伸張するデータ伸張手段を具備することを特徴とする請求項１４に記載の映像表示装置。
【請求項１７】
さらに、前記特定手段により特定された映像放送システムに基づいて前記放送信号処理ユニットにおける受信チャネル周波数を切り替えるチャネル切替制御手段を具備することを特徴とする請求項１４に記載の映像表示装置。
【請求項１８】
前記表示手段は、前記特定手段により特定された映像放送システムを視認するための情報を表示することを特徴とする請求項１４に記載の映像表示装置。
【請求項１９】
さらに、前記放送信号処理ユニットの形状に合わせて形成され当該放送信号処理ユニットが挿入されるスロットを具備することを特徴とする請求項１４に記載の映像表示装置。
【請求項２０】
さらに、前記スロットの近傍に描画され前記複数の映像放送システムにそれぞれ対応する複数のシンボル記号を備えることを特徴とする請求項１９に記載の映像表示装置。
【発明の詳細な説明】
【技術分野】
【０００１】
本発明は、映像表示システム、放送信号処理ユニットおよび映像表示装置に関する。
【背景技術】
【０００２】
近年では、テレビチューナを内蔵するノート型パソコン（以下、ノートＰＣと略称する）が販売されている。この種のノートＰＣを用いると、アンテナから延長されるケーブルを接続することで手軽にテレビ放送を楽しむことができる。
【０００３】
ところで、近年の技術革新によりノートＰＣの小型化および軽量化は著しい。これに伴い、ノートＰＣは家庭やオフィス内に留まらず、外出先に持ち出されて使用されることが増えてきている。最近では海外旅行者が行先にノートＰＣを携帯することも珍しくなく、特に、海外出張の多いビジネスマンなどにとっては様々な国々で自前のノートＰＣを使用する機会が増えている。このような背景から、様々な国々のテレビ放送を一台のノートＰＣで視聴できるようにしたいというニーズが生まれてきている。
【０００４】
しかしながらテレビ放送のシステムには、ほぼ国ごとに異なると言っても良いほどに種々に異なる方式がある。これらの方式の全てに対応する機能をノートＰＣに搭載することは、受信回路の規模の拡大、あるいはソフトウェア的な処理負担の増大などを伴う。例えば異なる放送方式のもとでは映像信号の同期周波数が異なるため、同期分離回路を各方式ごとに設ける必要がある。このような手法ではハードウェアの無駄が大きくなり、消費電力、重量、およびコストの点でも不利となる。ノートＰＣの可搬性、小型軽量などの数多くのメリットを損なうこと無く、異なる放送方式に対応し得る手法の提案が要望されている。
【０００５】
なお、関連する技術が下記特許文献１に記載されている。この文献には、多様な放送を受信可能で、かつ視聴者の希望に応じて複数チャネルを同時に同一画面上に割り付けて出力することの可能な多信号受信装置が開示される。しかしながら、この文献に記載の装置は異なる放送システムごとの信号処理部を一つの装置内部に具備するという、既存の映像表示装置の枠内に留まるものであり、携帯可能なポータブル機器への適用には不向きである。
【特許文献１】特開平７−７５０３４号公報（段落番号［００１１］〜［００１６］、図２）
【発明の開示】
【発明が解決しようとする課題】
【０００６】
以上述べたようにノートＰＣを利用する既存の映像表示装置には、異なる放送システムに対応するのに種々の困難が有り、ノートＰＣの持つ特有のメリットが損なわれる虞が有る。  
本発明は上記事情によりなされたもので、その目的は、異なる放送システムに容易に対応できるようにし、異なる国や地域で手軽にテレビ放送を視聴することの可能な映像表示システム、放送信号処理ユニットおよび映像表示装置を提供することにある。
【課題を解決するための手段】
【０００７】
上記目的を達成するために、本願発明の一態様によれば、互いに異なる複数の映像放送システムのうち少なくとも１の映像放送システムに対応する放送信号処理ユニットと、この放送信号処理ユニットが装着される情報処理端末とを具備する映像表示システムであって、前記放送信号処理ユニットは、映像信号を含む放送信号を受信して前記映像信号を復調する復調手段と、前記復調された映像信号に基づくディジタルの映像データを生成するデータ生成手段と、前記映像データを前記情報処理端末に送信する送信手段と、自ユニットの対応する放送システムの識別情報を前記情報処理端末に通知する通知手段とを備え、前記情報処理端末は、前記送信手段により送信される映像データを受信する受信手段と、前記通知手段により通知される識別情報から前記放送信号処理ユニットの対応する放送システムを特定する特定手段と、前記受信された映像データを前記特定された放送システムに応じて加工して表示用映像を生成する映像生成手段と、前記表示用映像を視覚的に表示する表示手段とを備えることを特徴とする映像表示システムが提供される。
【０００８】
このような手段を講じることにより、放送信号は放送信号処理ユニットにおいて受信復調され、ディジタルの映像データが生成される。映像データは情報処理端末に伝送される。放送信号処理ユニットの対応可能な放送システムは、情報処理端末に通知される。すなわち情報処理端末には映像データとともに、この映像データが準拠する放送システムが通知される。これにより、放送信号処理ユニットを各放送システムごとに専用の処理ユニットとして設けることができるようになり、放送信号処理ユニットを交換することにより一台の情報処理端末で如何なる放送システムにも対応することが可能となる。しかも映像信号がディジタルデータとして伝送されるので、ノイズの影響を受けやすい映像信号を情報処理端末の内部ノイズから守ることができ、Ｓ／Ｎ劣化のない良好な映像を表示することが可能となる。
【発明の効果】
【０００９】
本発明によれば、異なる放送システムに容易に対応でき、異なる国や地域で手軽にテレビ放送を視聴することの可能な映像表示システム、放送信号処理ユニットおよび映像表示装置を提供することができる。
【発明を実施するための最良の形態】
【００１０】
図１は、本発明に係わる映像表示システムの実施の形態を示す模式図である。図１のシステムは、情報処理端末としてのノートＰＣ１０６と、放送信号処理ユニットとしてのチューナカード１００とを備える。チューナカード１００はノートＰＣ１０６に装着して使用される。
【００１１】
図２は、図１の映像表示システムを模式的に示す外観斜視図である。ノートＰＣ１０６には、チューナカード１００の形状に合わせて専用のスロット３００が形成される。チューナカード１００は、スロット３００を介してノートＰＣ１０６に着脱自在に取り付けられる。
【００１２】
図３は、チューナカード１００がノートＰＣ１０６に装着された状態をスロット正面から見た状態を示す図である。ノートＰＣ１０６のスロット３００が形成されるパネルには、それぞれ異なる放送システムを有する国の国名がシンボル的に描画される。ＪＰは日本を、ＵＳは米国を、ＵＫは英国を、Ｃｈｉｎａは中国をそれぞれ示す。なお、チューナカード１００に形成される外部入力端子やアンテナ入力端子を区別するため、各端子に対応する位置に端子の名称を描画すると良い。
【００１３】
チューナカード１００には三角の矢印でマーカが描画される。マーカは、チューナカード１００が対応する放送システムごとに、異なる位置に描画される。図３においてはＪＰが指し示される位置にマーカが描画されており、従ってこのチューナカード１００が日本における放送システムに対応するものであることが一目で判るようになっている。また、ノートＰＣ１０６の側に文字を描画することで文字を見やすくでき、チューナカード１００のサイズが制約されない。なお本実施形態において、「放送システム」とは、ＮＴＳＣやＰＡＬなどにより区別される方式だけでなく、チャネル選局周波数や、信号フォーマットなどをも含む概念である。
【００１４】
（第１の実施形態）
図４は、図１の映像表示システムの第１の実施形態を示す機能ブロック図である。図４に示されるチューナカード１００は、復調部１０２と、アナログ／ディジタル（Ａ／Ｄ）変換部１０３と、データ圧縮部２０６と、ＩＤメモリ２０７と、カードＩ／Ｏ部１０４と、制御部１０５とを備える。ノートＰＣ１０６は、Ｉ／Ｏ部１０７と、対応システム検出部１０８と、ＣＰＵ（Central Processing Unit）１１２と、制御入力部１１３と、映像処理部１０９と、表示回路１１０と、表示部１１１とを備える。
【００１５】
図４において、アンテナ入力端子１０１を介してチューナカード１００に入力される放送信号は復調部１０２により受信復調され、この放送信号に重畳されたアナログの映像信号が復調される。映像信号はＡ／Ｄ変換部１０３によりディジタルの映像データに変換される。映像データはデータ圧縮部２０６により、例えばＭＰＥＧ２（Moving Picture Experts Group 2）などの形式に圧縮される。これにより生成される圧縮データはカードＩ／Ｏ部１０４に与えられる。
【００１６】
ＩＤメモリ２０７はＥＥＰＲＯＭ（Electrically Erasable and Programmable Read Only Memory）などの不揮発性メモリとして実現され、チューナカード１００が対応する放送システムの識別情報が記憶される。例えば４ビットの識別情報を用いると１６種類の放送システムを識別することができる。カードＩ／Ｏ部１０４はＩＤメモリ２０７から識別情報を読み出し、圧縮データに付加する。チューナカード１００における各部の処理は制御部１０５により統括的に制御される。例えば制御部１０５は、カードＩ／Ｏ部１０４におけるデータ入出力処理を管理する。また制御部１０５は、復調部１０２におけるチャネル選択処理や復調動作の制御も併せて実施する。
【００１７】
識別情報の付加された圧縮データは、カードＩ／Ｏ部１０４から所定の同期タイミング、ビットレート、振幅レベルでノートＰＣ１０６のＩ／Ｏ部１０７に送信される。ノートＰＣ１０６の対応システム検出部１０８は、Ｉ／Ｏ部１０７により受信された圧縮データから識別情報を抽出し、チューナカード１００が対応する放送システムを特定する。放送システムの特定の結果はＣＰＵ１１２に通知され、ＣＰＵ１１２の内部メモリなどに記憶される。
【００１８】
Ｉ／Ｏ部１０７により受信された圧縮データは映像処理部１０９にも与えられる。ＣＰＵ１１２は、チューナカード１００が対応する放送システムの信号フォーマット、走査線の数、同期信号タイミングなどの諸パラメータを映像処理部１０９に通知する。映像処理部１０９は各パラメータ応じて画面サイズ、表示位置などの調節された表示用映像を生成し、この表示用映像を表示回路１１０に与える。表示回路１１０は表示部１１１の入力形式に応じた形式に表示用映像を変換する。この変換された映像は表示部１１１に与えられ、視覚的に表示される。
【００１９】
ノートＰＣ１０６の制御入力部１１３は、キーボードやマウス（図示せず）などの入力デバイスを備える。ユーザによる受信チャネルの選択操作は、制御入力部１１３を介してイベントとしてノートＰＣに通知される。チャネル選択に相当するイベントが発生すると、このイベントで指定された受信チャネル情報がＣＰＵ１１２に通知される。これを受けてＣＰＵ１１２は割り込み処理を実施し、チューナカード１００の対応する放送システムにおけるチャネル指定コードを生成する。このコードはＩ／Ｏ部１０７に通知される。
【００２０】
Ｉ／Ｏ部１０７は、チャネル指定コードをカードＩ／Ｏ部１０４に伝送する。カードＩ／Ｏ部１０４はチャネル指定コードを制御部１０５に通知する。制御部１０５は、通知されたチャネル指定コードに従って復調部１０２における選局周波数を制御する。以上の処理手順により、復調部１０２における選局／復調動作をノートＰＣ１０６側から制御することができる。
【００２１】
図５は、図４の映像表示システムの起動時における処理手順を示すフローチャートである。図５においてチューナカード１００がノートＰＣ１０６に接続されると、または、チューナカード１００に電源が投入されると（ステップＳ１）、チューナカード１００の制御部１０５は直ちにＩＤメモリから識別情報を読み出し、カードＩ／Ｏ部１０４を介してノートＰＣ１０６に識別情報を送出する（ステップＳ２）。これを受けてノートＰＣ１０６は、チューナカード１００が対応する放送システムの名称や国名などを、文字、またはアイコンなどのかたちで表示部１１１にシンボリックに表示する。この放送システムを示すシンボルは、表示部１１１にＯＳＤ（＊ご発明者 沼田様         ＯＳＤの英字綴りをご記入ください）として表示される。これにより、現在装着されているカードがどの国の放送方式に対応しているのかをユーザが知ることができる。
【００２２】
引き続き、チューナカード１００の制御部１０５は、識別情報の送出要求がノートＰＣ１０６から到来することを待ち受け（ステップＳ３）、送出要求が到来すると直ちに放送システムの識別情報をノートＰＣ１０６に送出する（ステップＳ４）。このように、識別情報の送出をノートＰＣ１０６側からチューナカード１００にリクエストし、チューナカード１００がこれに応えるかたちで識別情報が授受される。これにより、割り込みイベントが過度に生じることを防止し、ノートＰＣ１０６におけるＣＰＵ１１２の演算手順が煩雑になることを防止できる。また、チューナカード１００が交換された場合にも、対応する放送システムを直ちに表示できる。
【００２３】
図６は、比較のため既存の多信号受信装置の構成を示す機能ブロック図である。この装置は、ＴＶ放送信号が入力される入力端子７０１と、ＢＳ／ＣＳ信号が入力される入力端子７０２と、ＣＡＴＶ信号が入力される入力端子７０３とを備える。各入力端子７０１〜７０３に接続される信号は、いずれもフロントエンド部７０４に入力される。
【００２４】
ユーザのリモコン７１３の操作により受信放送チャネルが指定されると、リモコン受光部７１２はチャネル指定信号を制御部７１１に出力する。制御部７１１は指定されたチャネルを選択すべくフロントエンド部７０４を制御する。フロントエンド部７０４は制御部７１１の制御に従って入力端子７０１〜７０３のいずれかからの信号を選択し、復調する。これにより生成される復調信号は信号処理部７０６および同期分離部７０５に入力される。
【００２５】
信号処理部７０６は復調信号をディジタル変換して映像データを生成する。同期分離部７０５は復調信号から同期信号を分離する。同期信号はタイミング発生部７１０に与えられ、タイミング発生部７１０は同期信号に同期したタイミング信号を出力する。メモリ部７０７はタイミング信号に応じた書き込みタイミングで映像データを記憶する。出力回路部７０８はタイミング信号に応じた読み出しタイミングで映像データをメモリ部７０７から読み出す。読み出された映像データはディスプレイ７０９に表示される。
【００２６】
ところで上記構成では、ＴＶ信号の受信復調処理、ＢＳ／ＣＳ信号の受信復調処理、および、ＣＡＴＶ信号の受信復調処理がいずれも一つのフロントエンド部７０４により実行される。このため、特にフロントエンド部７０４の構成回路が複雑となり、その規模も大きくなりやすい。また、フロントエンド部７０４からアナログの復調信号が装置内部に取り込まれるため、装置内部のノイズにより復調信号に悪影響が及ぼされる虞が有る。さらに、放送システムによって異なる同期周波数などに対応するため、各放送システムごとに専用の同期分離回路を設ける必要も有る。
【００２７】
これに対し本実施形態では、チューナカード１００に復調部１０２を備え、このチューナカード１００において放送信号を受信復調するようにしている。また、チューナカード１００のＩＤメモリ２０７に、このチューナカード１００が対応する放送システムの識別情報を記憶させる。そして、チューナカード１００がノートＰＣ１０６に装着されると、ＩＤメモリ２０７から識別情報を読み出してノートＰＣ１０６に通知し、チューナカード１００が対応する放送システムをノートＰＣ１０６に認識させるようにしている。これにより、映像の表示機能と放送信号の受信復調機能とを別体として分離することが可能となる。すなわち、受信したい放送システムに応じてチューナカード１００交換することにより、同じノートＰＣ１０６を異なるＴＶシステムに対応させることが可能となる。
【００２８】
特に本実施形態では、それぞれのチューナカード１００ごとに、対応する放送システムをただ一つに限定する。そして、複数の放送システムに対応したいというニーズに対しては各システムごとにチューナカード１００を別途用意し、カードを交換することにより対処するようにする。これにより、チューナカード１００のハードウェア構成を必要最小限にできる。
【００２９】
また本実施形態では、チューナカード１００の形状に合わせた特有の形状を持つスロット３００をノートＰＣ１０６に形成し、スロット３００を介してチューナカード１００を装着するようにした。これにより、チューナカード１００の形状を自由に決められるというメリットを享受できる。
【００３０】
また本実施形態では、映像信号をチューナカード１００においてＡ／Ｄ変換してディジタル映像データとし、ディジタルフォーマットでノートＰＣ１０６に伝送するようにしている。これにより、ノートＰＣ１０６側で発生するノイズの映像信号に対する影響を抑圧でき、良好な映像を表示することが可能となる。チューナカード１００を金属ケースで構成すると、より一層のノイズ低減効果を得ることができる。
【００３１】
また本実施形態によれば、映像信号に付随する同期信号を所定のフォーマットで映像データと共に多重して伝送するか、独立した系統によりノートＰＣ１０６に伝送することができる。これによりノートＰＣ１０６側の同期分離回路を省略でき、回路の簡素化、および軽量化を図ることができる。
【００３２】
また本実施形態によれば、以下のメリットを得ることもできる。例えば、ＮＴＳＣ方式を採用する日本と米国においても、同じチャネル番号に対応する選局周波数は異なる。本実施形態のように、チューナカード１００から対応する放送システムをノートＰＣ１０６に通知することにより、このような事態にも対処することができる。
【００３３】
また、装着されたチューナカード１００の対応する放送システムを明示的に表示することは、以下のメリットをもたらす。すなわち、海外から帰国した直後、あるいは出国の前日などにユーザが自己のシステムの状態を知ることで、チューナカード１００を交換する必要があるかどうかを判断することができる。
【００３４】
また、自国と放送システムの異なる国から帰国した後に何らかの不具合が生じた場合、不具合の発生箇所を知るための手がかりにもなる。  
（ケース１）
システム（又は対応国）表示が本来のシステムと一致しているかどうかをユーザが確認することで、正しいチューナカード１００が挿入されているかどうかを判断できる。  
（ケース２）
システム名称がノートＰＣ１０６に表示された場合には、チューナカード１００とノートＰＣ１０６との双方向通信が正常であることが確認できる。よって表示が無い場合にはチューナカード１００が未装着であるか、またはチューナカード１００の故障であると判断できる。  
（ケース３）
システム名称がノートＰＣ１０６に表示され、かつその内容とチューナカード１００とが合致しているにもかかわらず映像が表示されない場合には、アンテナの接続不良などが考えられる。  
このように、対応システム（または対応国）を明示的に表示することで、単に対応システムを認識すること以外にも種々のメリットが有る。これらのことから本実施形態によれば、異なる放送システムに容易に対応でき、異なる国や地域で手軽にテレビ放送を視聴することが可能となる。
【００３５】
（第２の実施形態）
図７は、図１の映像表示システムの第２の実施形態を示す機能ブロック図である。なお図７において図４と共通する部分には同じ符号を付して示し、ここでは異なる部分についてのみ説明する。
【００３６】
図７において、チューナカード１００はＩＤ送信部２０８と、二次コイル２０９とを備える。ノートＰＣ１０６はＩＤ受信部２１２と、一次コイル２１０とを備える。一次コイル２１０は電源部２１１により励振され、誘導磁界を形成する。チューナカード１００がノートＰＣ１０６に近接すると誘導磁界により二次コイル２０９が励振され、二次コイル２０９に誘導起電力が生じる。この誘導起電力が一定値を超えるとＩＤ送信部２０８が駆動される。そうすると、ＩＤ送信部２０８はＩＤメモリ２０７から識別情報を読み出し、この識別情報の重畳された電波を放射する。この電波はＩＤ受信部２１２により受信され、これにより識別情報がノートＰＣ１０６に通知される。通知された識別情報は対応システム検出部１０８に与えられる。
【００３７】
このような構成であるから、チューナカード１００がノートＰＣ１０６に装着されることを要さず、例えば同じテーブルに両者が置かれることだけで、ノートＰＣ１０６はチューナカード１００の対応する放送システムを認識することができる。これにより第１の実施形態により得られる効果に加え、次のメリットを得ることができる。
【００３８】
対応放送システムの違いによらず、チューナカード１００の形状はすべて同様にならざるを得ない。よって表示の見間違いや勘違いにより、目的と異なるカードがノートＰＣ１０６に装着される可能性がある。誤ったカードが装着された場合でも、ノートＰＣ１０６はカード装着を検出してアプリケーションを起動するため、それが誤りであることに気付くまで一定の時間を要する。
【００３９】
そこで本実施形態のように、無線回線を介して装着前に対応システムをチューナカード１００からノートＰＣ１０６に通知することで、システムの立ち上りを待つといった煩わしさを感じること無しにカードの誤挿入を防止することが可能になる。
【００４０】
なお、本発明は上記実施形態そのままに限定されるものではない。  
図８は、本発明に係わる映像表示システムの他の実施の形態を示す模式図である。図８のように、携帯電話機ＭＳに装着されるカード型デバイスに、本実施形態におけるチューナカード１００の機能を搭載しても良い。カード型デバイスとしては、例えばＳＤ Ｉ／Ｏカードなどが挙げられる。この場合、映像データの圧縮方式としてはＭＰＥＧ２、またはＭＰＥＧ７などがより適する。
【００４１】
図９は、本発明に係わる映像表示システムの別の実施の形態を示す模式図である。図９に示されるように、パネルディスプレイなどの映像表示装置１０００に専用のスロットを形成してチューナカード１００を装着できるようにしても良い。この場合、ＤＶＤ（Digital Versatile Disk）装置３から出力される映像信号をチューナカード１００の外部入力端子に入力するようにしても良い。映像表示装置１０００は赤外線受光部１を備え、リモコン端末２を介したユーザの種々の操作要求を受け付けることができる。リモコン端末２は、図４の制御入力部１１３に相当する。
【００４２】
また本実施形態では、チューナカード１００が対応する放送システムを、識別情報のかたちでノートＰＣ１０６に通知するようにした。これに代えて、例えばメッセージ情報などのかたちで放送システムを通知するようにしても良い。要するに、ノートＰＣ１０６が認識できるフォーマットであれば、放送システムの通知の方式はどのようなものであっても良い。
【００４３】
また本実施形態では、チューナカード１００の形状に合わせた特有の形状を持つスロット３００をノートＰＣ１０６に形成するようにしたが、汎用のカードスロットを用いることももちろん可能である。
【００４４】
また、図４および図７の復調部１０２から出力される信号はアナログに限らない。例えば地上波ディジタル放送システムなどにより提供される信号を復調すれば、ディジタルの映像データが得られる。この場合、復調されたディジタルデータをそのままデータ圧縮部２０６に与えれば良い。このような放送方式に対応するチューナカード１００においては、Ａ／Ｄ変換部１０３が不要となる。
【００４５】
さらに、本発明は実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明に係わる映像表示システムの実施の形態を示す模式図。
【図２】図１の映像表示システムを模式的に示す外観斜視図。
【図３】チューナカード１００がノートＰＣ１０６に装着された状態をスロット正面から見た状態を示す図。
【図４】図１の映像表示システムの第１の実施形態を示す機能ブロック図。
【図５】図４の映像表示システムの起動時における処理手順を示すフローチャート。
【図６】比較のため既存の多信号受信装置の構成を示す機能ブロック図。
【図７】図１の映像表示システムの第２の実施形態を示す機能ブロック図。
【図８】本発明に係わる映像表示システムの他の実施の形態を示す模式図。
【図９】本発明に係わる映像表示システムの別の実施の形態を示す模式図。
【符号の説明】
【００４７】
ＭＳ…携帯電話機、１…赤外線受光部、２…リモコン端末、３…ＤＶＤ装置、１００…チューナカード、１０１…アンテナ入力端子、１０２…復調部、１０３…アナログ／ディジタル（Ａ／Ｄ）変換部、１０４…カードＩ／Ｏ部、１０５…制御部、１０６…ノートＰＣ、１０７…Ｉ／Ｏ部、１０８…対応システム検出部、１０９…映像処理部、１１０…表示回路、１１１…表示部、１１２…ＣＰＵ、１１３…制御入力部、２０６…データ圧縮部、２０７…ＩＤメモリ、２０８…ＩＤ送信部、２０９…二次コイル、２１０…一次コイル、２１１…電源部、２１２…ＩＤ受信部、３００…スロット、１０００…映像表示装置
【図１】
2005136914.tif 000003
【図２】
2005136914.tif 000004
【図３】
2005136914.tif 000005
【図４】
2005136914.tif 000006
【図５】
2005136914.tif 000007
【図６】
2005136914.tif 000008
【図７】
2005136914.tif 000009
【図８】
2005136914.tif 000010
【図９】
2005136914.tif 000011